【手続補正書】
【提出日】平成30年2月2日(2018.2.2)
【手続補正１】
【補正対象書類名】特許請求の範囲
【補正対象項目名】請求項１
【補正方法】変更
【補正の内容】
【請求項１】
所定の規格に従う相手側コネクタと嵌合方向に沿って嵌合可能なコネクタであって、
前記コネクタは、ハウジングと、前記ハウジングに部分的に収容された内部構造体とを備えており、
前記ハウジングは、挿入口と、受容部とを有しており、
前記内部構造体は、複数のコンタクトを有しており、
前記コンタクトの夫々は、弾性変形可能なバネ部と、前記バネ部に支持された接点とを有しており、
前記受容部は、前記相手側コネクタの一部を前記挿入口を通して受容するものであり、
前記受容部は、前部と後部とを有しており、
前記相手側コネクタと嵌合する前の状態において、前記接点は前記後部内に位置しており、
前記前部は、前記嵌合方向において、前記後部と前記挿入口との間に位置しており、
前記前部と前記後部は、前記嵌合方向に直交する上下方向において互いに一致する中心を有しており、
前記ハウジングは、前記上下方向において前記前部を規定する第１上側内壁面及び第１下側内壁面と、前記上下方向において前記後部を規定する第２上側内壁面及び第２下側内壁面とを有しており、
前記上下方向において、前記第１上側内壁面と前記第１下側内壁面の距離は、前記第２上側内壁面と前記第２下側内壁面の距離よりも大きく、
前記第２上側内壁面及び前記第２下側内壁面の夫々には、前記コンタクトを個々に収容する複数のコンタクト収容部が形成されており、
前記コンタクト収容部の夫々は、前記嵌合方向に沿って延びる溝であり、
前記溝は、前記嵌合方向において、少なくとも部分的に前記前部に開放されている
コネクタ。
【手続補正２】
【補正対象書類名】特許請求の範囲
【補正対象項目名】請求項５
【補正方法】変更
【補正の内容】
【請求項５】
請求項４記載のコネクタであって、
前記絶縁部材は、前記許容部を覆うとともに、前記嵌合方向において前記許容部を越えて前記挿入口の方へ延びている
コネクタ。
【手続補正３】
【補正対象書類名】明細書
【補正対象項目名】０００３
【補正方法】変更
【補正の内容】
【０００３】
図１３に示されるように、特許文献１に開示されたコネクタ９００は、ハウジング９１０と、複数のグランドスプリング９２０と、複数のコンタクト９３０とを有している。ハウジング９１０は、相手側コネクタ（図示せず）を受容する受容部９１２を有している。受容部９１２は、前部９１４と後部９１６とを有している。前部９１４は、嵌合方向（Ｘ方向）に直交する上下方向（Ｚ方向）において、ハウジング９１０の第１上側内壁面９４２と第１下側内壁面９４４により規定される。後部９１６は、上下方向（Ｚ方向）において、ハウジング９１０の第２上側内壁面９６２と第２下側内壁面９６４により規定される。第１上側内壁面９４２及び第１下側内壁面９４４には、グランドスプリング９２０を収容する第１収容部９４６が形成されている。第２上側内壁面９６２及び第２下側内壁面９６４にはコンタクト９３０を収容する第２収容部９６６が形成されている。第１収容部９４６と第２収容部９６６との間には、相手側コネクタ（図示せず）を案内するとともにコンタクト９３０の先端を保護するガイド９７０が設けられている。
【手続補正４】
【補正対象書類名】明細書
【補正対象項目名】０００７
【補正方法】変更
【補正の内容】
【０００７】
本発明は、第１のコネクタとして、
所定の規格に従う相手側コネクタと嵌合方向に沿って嵌合可能なコネクタであって、
前記コネクタは、ハウジングと、前記ハウジングに部分的に収容された内部構造体とを備えており、
前記ハウジングは、挿入口と、受容部とを有しており、
前記内部構造体は、複数のコンタクトを有しており、
前記受容部は、前記相手側コネクタの一部を前記挿入口を通して受容するものであり、
前記受容部は、前部と後部とを有しており、
前記前部は、前記嵌合方向において、前記後部と前記挿入口との間に位置しており、
前記前部と前記後部は、前記嵌合方向に直交する上下方向において互いに一致する中心を有しており、
前記ハウジングは、前記上下方向において前記前部を規定する第１上側内壁面及び第１下側内壁面と、前記上下方向において前記後部を規定する第２上側内壁面及び第２下側内壁面とを有しており、
前記上下方向において、前記第１上側内壁面と前記第１下側内壁面の距離は、前記第２上側内壁面と前記第２下側内壁面の距離よりも大きく、
前記第２上側内壁面及び前記第２下側内壁面の夫々には、前記コンタクトを個々に収容する複数のコンタクト収容部が形成されており、
前記コンタクト収容部の夫々は、前記嵌合方向に沿って延びる溝であり、
前記溝は、少なくとも部分的に前記前部に開放されており、
前記コンタクトの夫々は、弾性変形可能なバネ部と、前記バネ部に支持された接点とを有しており、
前記相手側コネクタと嵌合する前の状態において、前記接点は前記後部内に位置している
コネクタを提供する。
【手続補正５】
【補正対象書類名】明細書
【補正対象項目名】００１１
【補正方法】変更
【補正の内容】
【００１１】
また、本発明は、第５のコネクタとして、第４のコネクタであって、
前記絶縁部材は、前記許容部を覆うとともに、前記嵌合方向において前記許容部を越えて前記挿入口の方へ延びている
コネクタを提供する。
【手続補正６】
【補正対象書類名】明細書
【補正対象項目名】００１４
【補正方法】変更
【補正の内容】
【００１４】
【図１】本発明の一実施の形態によるコネクタを示す斜視図である。相手側コネクタの一部及び回路基板の一部を破線で描画している。
【図２】図１のコネクタを示す分解斜視図である。
【図３】図２のコネクタに含まれるハウジングを示す斜視図である。
【図４】図１のコネクタを示す正面図である。
【図５】図４のコネクタをＡ−Ａ線に沿って示す断面図である。
【図６】図４のコネクタをＢ−Ｂ線に沿って示す断面図である。
【図７】図６のコネクタの一部（破線Ｃで囲んだ部分）を拡大して示す断面図である。
【図８】図４のコネクタをＤ−Ｄ線に沿って示す斜視断面図である。
【図９】図８のコネクタの一部（破線Ｅで囲んだ部分）を示す拡大図である。
【図１０】図６のコネクタの一部を相手側コネクタの一部とともに示す断面図である。コネクタと相手側コネクタとは嵌合状態にある。
【図１１】図１０の相手側コネクタの一部を示す断面図である。
【図１２】特許文献１のコネクタと同様の構成を有するコネクタ（比較コネクタ）の一部を図１１の相手側コネクタの一部とともに示す断面図である。比較コネクタと相手側コネクタとは嵌合状態にある。
【図１３】特許文献１のコネクタを示す断面図である。
【手続補正７】
【補正対象書類名】明細書
【補正対象項目名】００２８
【補正方法】変更
【補正の内容】
【００２８】
図６及び図７から理解されるように、許容部２２６は、コンタクト収容部２４６に各々対応している。詳しくは、許容部２２６は、上下方向において受容部２２４と重複せずにコンタクト収容部２４６の外側に位置している。換言すると、コンタクト収容部２４６は、上下方向において許容部２２６の間に位置している。また、許容部２２６は、前後方向においてコンタクト収容部２４６（又は受容部２２４の後部２４０）と重なっている。本実施の形態においては、許容部２２６の前後方向（Ｘ方向）の前端は、コンタクト収容部２４６を規定する壁部の前端面２４８よりも前方（＋Ｘ側）に位置している。換言すると、許容部２２６は、前後方向において受容部２２４の前部２３０とも重なりを有している。しかしながら、その重なりは小さい方が望ましい。ハウジング２０の強度低下を回避するためである。上下方向（Ｚ方向）において、許容部２２６の一方の端部は、コンタクト収容部２４６に連続し、他方の端部は被覆部２７０に露出している。被覆部２７０内には、絶縁部材６０が配置されており、許容部２２６の他方の端部は、絶縁部材６０で覆われている。換言すると、絶縁部材６０は、上下方向において受容部２２４及びコンタクト収容部２４６の双方と重複せずに許容部２２６の外側に配置されている。つまり、許容部２２６は、上下方向において絶縁部材６０の間に位置している。絶縁部材６０は、前後方向（Ｘ方向）及びピッチ（Ｙ方向）の夫々において、各許容部２２６をまたいでハウジング２０に接している。換言すると、絶縁部材６０は、前後方向（Ｘ方向）において、許容部２２６を越えて前方（＋Ｘ側）及び後方（−Ｘ側）へ延びている。また、絶縁部材６０は、ピッチ方向（Ｙ方向）において複数の許容部２２６を覆っている。本実施の形態の絶縁部材６０は、前後方向（Ｘ方向）において、許容部２２６のサイズの２倍以上のサイズを有している。そして、絶縁部材６０の前縁６２（＋Ｘ側の縁）は、許容部２２６と挿入口２２２の中間点付近に達している。このように、本実施の形態では、絶縁部材６０が、許容部２２６を越えて挿入口２２２側へ延びている。これは、グランドスプリング９２０（図１３参照）が存在しないため可能になる。こうして、本実施の形態では、絶縁部材６０とハウジング２０との張り合わせ面積を大きくすることができるので、絶縁部材６０をハウジング２０に強固に固定することができる。絶縁部材６０は、コンタクト３５の先端３５８又はその周辺部がシェル４０に接触することを防止する。許容部２２６は、ハウジング２０の上下方向のサイズを大きくすることなしに、コンタクト３５の接触部３５０の移動可能範囲を広げる役割を果たす。換言すると、許容部２２６は、コンタクト３５の接触部３５０に必要とされる移動可能範囲を確保しつつ、ハウジング２０の上下方向のサイズを縮小するのに貢献する。一方、絶縁部材６０は、コンタクト３５とシェル４０との間の電気的絶縁状態を維持する。コネクタ１０のサイズに制限がなければ、許容部２２６は必ずしも必要ではなく、その場合絶縁部材６０も必要ない。
【手続補正８】
【補正対象書類名】明細書
【補正対象項目名】００２９
【補正方法】変更
【補正の内容】
【００２９】
図６及び図７に示されるように、相手側コネクタ８００（図１参照）と嵌合する前の状態において、コンタクト収容部（溝）２４６は、コンタクト３５の支持部３５２の一部を収容している。同時に、コンタクト収容部２４６は、コンタクト３５の先端３５８も収容している。このとき、コンタクト３５の接触部３５０は、コンタクト収容部（溝）２４６の外に位置している。つまり、接触部３５０は、受容部２２４の後部２４０内に位置している。コンタクト３５の先端３５８の位置は、前後方向（Ｘ方向）において許容部２２６と重なっている。また、コンタクト３５の先端３５８は、上下方向（Ｚ方向）において許容部２２６の間に位置する。換言すると、コンタクト３５の先端３５８の夫々は、前後方向（Ｘ方向）において、前端面２４８よりも後方（−Ｘ側）に位置し、上下方向（Ｚ方向）において、第２上側内壁面２４２及び第２下側内壁面２４４よりも外側に位置している。詳しくは、上側のコンタクト３５の先端３５８は、上下方向（Ｚ方向）において、第２上側内壁面２４２よりも上（＋Ｚ側）に位置し、下側のコンタクト３５の先端３５８は、第２下側内壁面２４４の下（−Ｚ側）に位置している。本実施の形態においては、コンタクト３５の先端３５８は、さらに、上下方向（Ｚ方向）において、第１上側内壁面２３２よりも下（−Ｚ側）かつ第１下側内壁面２３４よりも上（＋Ｚ側）に位置している。それゆえ、図８及び図９から理解されるように、挿入口２２２側からコネクタ１０の内部を見たとき、コンタクト３５の先端３５８を視認することができる。コンタクト３５の先端３５８は、許容部２２６内に位置してもよいが、その場合、上下方向（Ｚ軸方向）において許容される先端３５８の移動量が減少する。